【手続補正書】
【提出日】平成20年9月5日(2008.9.5)
【手続補正１】
【補正対象書類名】明細書
【補正対象項目名】特許請求の範囲
【補正方法】変更
【補正の内容】
【特許請求の範囲】
【請求項１】
未使用のポリエステルを含む単一の層であるネジ山が付けられたネックフィニッシュと、
エンドキャップを含むボディ部であって、前記ボディ部は第１層および第２層を具備し、前記第１層は未使用のポリエステルを具備し、前記第２層はリサイクルされたポリエステルを具備する
プリフォームであって、
前記第２層は、前記プリフォームの約２５重量％から約５０重量％を具備する
プリフォーム。
【請求項２】
前記第１層は、ポリエチレンテレフタレート（ＰＥＴ）ホモポリマーおよび共重合体、ポリエチレンナフタレート、ポリエチレンナフタレート共重合体、ポリエチレンナフタレート／ポリエチレンテレフタレート混合物、およびそれらの組み合わせからなる群から選択される
請求項１記載のプリフォーム。
【請求項３】
前記第２層は、リサイクルされたポリエチレンテレフタレート（ＰＥＴ）ホモポリマーおよび共重合体、リサイクルされたポリエチレンナフタレート、リサイクルされたポリエチレンナフタレート共重合体、リサイクルされたポリエチレンナフタレート／ポリエチレンテレフタレートの混合物、およびそれらの組み合わせからなる群から選択される
請求項１記載のプリフォーム。
【請求項４】
前記ボディ部は、付加的に第３の層を有し、前記第３層はガスバリア材料を具備する
請求項１記載のプリフォーム。
【請求項５】
前記ガスバリア材料は、酸化シリコン膜、共重合ポリエステルバリア材料、フェノキシ系熱可塑性プラスチック、ポリアミド、ポリアミド混合物、ポリエチレンナフタレート、ポリエチレンナフタレート共重合体、ポリエチレンナフタレート／ポリエチレンテレフタレート混合物、およびそれらの組み合わせからなる群から選択される
請求項４記載のプリフォーム。
【請求項６】
前記第２層はリサイクルされたポリエチレンテレフタレート（ＰＥＴ）を具備し、前記リサイクルされたポリエチレンテレフタレート（ＰＥＴ）は、ポリエチレンテレフタレート（ＰＥＴ）とヒドロキシ−フェノキシエーテル重合体により形成されるバリア容器のためのリサイクル工程の生産物であり、前記工程は、
前記容器を切断してより小さな小片にする工程と、
前記小片を洗浄する工程と、
前記ヒドロキシ−フェノキシエーテル重合体を酸とともに溶解する工程と、
前記ポリエチレンテレフタレート（ＰＥＴ）の小片から前記ヒドロキシ−フェノキシエーテル重合体を分離する工程と、
前記ポリエチレンテレフタレート（ＰＥＴ）の小片をリンスおよび乾燥する工程と
を具備する請求項１記載のプリフォーム。
【請求項７】
請求項１記載のプリフォームを製造する方法であって、
型とコアにより形成されたキャビティにポリエステル溶融物を射出する工程であって、前記型が第１の温度のネジ山が付けられたネックフィニッシュ部および第２の温度のボディ部を具備し、前記第１の温度はポリエステルの結晶化温度より高く、前記第２の温度は前記ポリエステルの結晶化温度より低く、
前記ポリエステル溶融物を前記型および前記コアに接触させてプリフォームを形成する工程であって、前記ボディ部が基本的に非晶質あるいは準結晶であり、前記ネジ山が付けられたネックフィニッシュは基本的に結晶であり、
前記型から前記プリフォームを取り外す工程と、
第２の型内に前記プリフォームを配置する工程であって、前記第２の型は前記第１の温度のネジ山が付けられたネックフィニッシュと第３の温度のボディ部とを具備し、
前記ボディ部にリサイクルされたポリエチレンテレフタレート（ＰＥＴ）材料の溶融物を射出して、２層のプリフォームを形成する工程と、
前記型から前記２層のプリフォームを取り外す工程と
を具備するプリフォームの製造方法。
【請求項８】
前記プリフォームをブロー成形して飲料容器を作製する工程と、
前記容器にバリア層を付着させる工程と
をさらに具備する請求項７記載の方法。
【請求項９】
前記バリア層は、前記容器の内面上に付着した酸化シリコン膜を具備する
請求項８記載の方法。
【請求項１０】
請求項１記載のプリフォームを製造するための型であって、
第１の型と、
第２の型と、
コアと
を具備し、
前記第１の型は、
第１の型温度制御システムを有するネジ山が付けられたネックフィニッシュ部と、
第２の型温度制御システムを有するボディ部と、
を具備し、
前記コアは第３の温度制御システムを有し、
前記第１の温度制御システムは、前記第２および前記第３の温度制御システムとは独立しており、前記ネジ山が付けられたネックフィニッシュ部は熱的に前記ボディ部および前記コアから隔離されている
プリフォームを製造するための型。
【請求項１１】
前記第１、第２および第３温度制御システムは、循環流体を具備する
請求項１０記載の型。
【請求項１２】
前記第１および第２温度制御システムは、ヒータ、加熱用コイル、加熱用プローブおよび循環流体よりなる群から選択される
請求項１０記載の型。
【請求項１３】
前記コアは、前記型の前記ネジ山が付けられたネック部の領域における第１のコア部と、前記型の前記ボディ部の領域における第２のコア部とを具備し、前記第１および第２のコア部は独立の温度調節システムを有する
請求項１０記載の型。
【請求項１４】
前記第１および第２のコアの温度調節システムは、ヒータ、加熱用コイル、加熱用プローブおよび循環流体よりなる群から選択される
請求項１３記載の型。
【請求項１５】
未使用のポリエチレンテレフタレート（ＰＥＴ）層と、
リサイクルされたポリエチレンテレフタレート（ＰＥＴ）層と、
ガスバリア層と
を具備するラミネートであって、
前記未使用のポリエチレンテレフタレート（ＰＥＴ）層は、前記リサイクルされ、あるいは消費された後のポリエチレンテレフタレート（ＰＥＴ）層に直接粘着され、前記リサイクルされた層はラミネートの約２５重量％から約５０重量％を具備する
ラミネート。
【請求項１６】
前記ガスバリア層は、酸化シリコン膜を具備する
請求項１５記載のラミネート。
【請求項１７】
前記ラミネートは、プリフォームの形態をしている
請求項１５記載のラミネート。
【請求項１８】
前記ラミネートは、飲料容器の形態をしている
請求項１５記載のラミネート。
【請求項１９】
前記酸化シリコン膜は、前記飲料容器の最も内部の層に位置する
請求項１８記載のラミネート。
【請求項２０】
前記未使用のポリエチレンテレフタレート（ＰＥＴ）は、少なくとも約２重量％の含有量のイソフタル酸を含む
請求項１５記載のラミネート。
【請求項２１】
前記未使用のポリエチレンテレフタレート（ＰＥＴ）に含まれる前記イソフタル酸の含有量は、約２重量％から約１０重量％である
請求項２０記載のラミネート。
【請求項２２】
前記未使用のポリエチレンテレフタレート（ＰＥＴ）に含まれる前記イソフタル酸の含有量は、約４重量％から約５重量％である
請求項２１記載のラミネート。
【請求項２３】
前記リサイクルされたポリエチレンテレフタレート（ＰＥＴ）に含まれる前記イソフタル酸の含有量は、少なくとも約２％である
請求項２０記載のラミネート。
【請求項２４】
少なくとも２重量％の含有量でイソフタル酸を含む未使用のポリエチレンテレフタレート（ＰＥＴ）を具備する第１の層と、
リサイクルされたポリエチレンテレフタレート（ＰＥＴ）を具備する第２の層と
を具備するプリフォームであって、
前記第１の層は壁部よりもエンドキャップにおいて薄く、前記第２の層は壁部よりもエンドキャップにおいて厚い
プリフォーム。
【請求項２５】
前記リサイクルされたポリエチレンテレフタレート（ＰＥＴ）は、前記プリフォームの約２５重量％から約５０重量％である
請求項２４記載のプリフォーム。
【請求項２６】
ネジ山が付けられたネックフィニッシュ、ネックシリンダおよびボディ部を有し、前記ボディ部は付加的にエンドキャップを具備しており、
前記ネックフィニッシュ、前記ネックシリンダおよび前記ボディ部は未使用のポリエチレンテレフタレート（ＰＥＴ）からなる第１層を具備し、前記ボディ部は付加的にリサイクルされたポリエチレンテレフタレート（ＰＥＴ）からなる第２層を具備し、前記第２層はプリフォームの約２５重量％から約５０重量％であり、
前記第１層と前記第２層のそれぞれが射出成形により形成された
プリフォーム。
【請求項２７】
前記第１層は、ポリエチレンテレフタレート（ＰＥＴ）ホモポリマーおよび共重合体、ポリエチレンナフタレート、ポリエチレンナフタレート共重合体、ポリエチレンナフタレート／ポリチレンテレフタレート混合物およびそれらの組み合わせからなる群から選択される
請求項２６記載のプリフォーム。
【請求項２８】
前記第２層は、リサイクルされたポリエチレンテレフタレート（ＰＥＴ）ホモポリマーおよび共重合体、リサイクルされたポリエチレンナフタレート、リサイクルされたポリエチレンナフタレート共重合体、リサイクルされたポリエチレンナフタレート／ポリチレンテレフタレート混合物およびそれらの組み合わせからなる群から選択される
請求項２６記載のプリフォーム。
【請求項２９】
前記ボディ部は基本的に非晶質あるいは準結晶であり、前記ネジ山が付けられたネックフィニッシュは基本的に結晶である
請求項２６記載のプリフォーム。
【請求項３０】
前記ネジ山が付けられたネックフィニッシュの内面は非晶質である
請求項２９記載のプリフォーム。
【請求項３１】
前記第２層はリサイクルされたポリエチレンテレフタレート（ＰＥＴ）を具備し、前記リサイクルされたポリエチレンテレフタレート（ＰＥＴ）は、ポリエチレンテレフタレート（ＰＥＴ）とヒドロキシ−フェノキシエーテル重合体により形成されるバリア容器のためのリサイクル工程の生産物であり、前記工程は、
前記容器を切断してより小さな小片にする工程と、
前記小片を洗浄する工程と、
前記ヒドロキシ−フェノキシエーテル重合体を酸とともに溶解する工程と、
前記ポリエチレンテレフタレート（ＰＥＴ）の小片から前記ヒドロキシ−フェノキシエーテル重合体を分離する工程と、
前記ポリエチレンテレフタレート（ＰＥＴ）の小片をリンスおよび乾燥する工程と
を有する請求項２６記載のプリフォーム。
【請求項３２】
請求項２６記載のプリフォームを製造する方法であって、
型とコアにより形成されたキャビティにポリエステル溶融物を射出する工程であって、前記型が第１の温度のネジ山が付けられたネックフィニッシュ部および第２の温度のボディ部を具備し、前記第１の温度はポリエステルの結晶化温度より高く、前記第２の温度は前記ポリエステルの結晶化温度より低く、
前記ポリエステル溶融物を前記型および前記コアに接触させてプリフォームを形成する工程であって、前記ボディ部が基本的に非晶質あるいは準結晶であり、前記ネジ山が付けられたネックフィニッシュは基本的に結晶であり、
前記型から前記プリフォームを取り外す工程と、
第２の型内に前記プリフォームを配置する工程であって、前記第２の型は前記第１の温度のネジ山が付けられたネックフィニッシュと第３の温度のボディ部とを具備し、
前記ボディ部にリサイクルされたポリエチレンテレフタレート（ＰＥＴ）材料の溶融物を射出して、２層のプリフォームを形成する工程と、
前記型から前記２層のプリフォームを取り外す工程と
を具備するプリフォームの製造方法。
【請求項３３】
前記プリフォームをブロー成形して飲料容器を作製する工程と、
前記容器にバリア層を付着させる工程と
をさらに具備する請求項３２記載の方法。
【請求項３４】
前記バリア層は、前記容器の内面上に付着した酸化シリコン膜を具備する
請求項３３記載の方法。
【請求項３５】
請求項２６記載のプリフォームを製造するための型であって、
第１の型と、
第２の型と、
コアと
を具備し、
前記第１の型は、
第１の型温度制御システムを有するネジ山が付けられたネックフィニッシュ部と、
第２の型温度制御システムを有するボディ部と、
を具備し、
前記コアは第３の温度制御システムを有し、
前記第１の温度制御システムは、前記第２および前記第３の温度制御システムとは独立しており、前記ネジ山が付けられたネックフィニッシュ部は熱的に前記ボディ部および前記コアから隔離されている
プリフォームを製造するための型。
【請求項３６】
前記第１、第２および第３温度制御システムは、循環流体を具備する
請求項３５記載の型。
【請求項３７】
前記第１および第２温度制御システムは、ヒータ、加熱用コイル、加熱用プローブおよび循環流体よりなる群から選択される
請求項３５記載の型。
【請求項３８】
前記コアは、前記型の前記ネジ山が付けられたネック部の領域における第１のコア部と、前記型の前記ボディ部の領域における第２のコア部とを具備し、前記第１および第２のコア部は独立の温度調節システムを有する
請求項３５記載の型。
【請求項３９】
前記第１および第２のコアの温度調節システムは、ヒータ、加熱用コイル、加熱用プローブおよび循環流体よりなる群から選択される
請求項３８記載の型。
【手続補正２】
【補正対象書類名】明細書
【補正対象項目名】０００６
【補正方法】変更
【補正の内容】
【０００６】
リサイクル材料を取り入れた容器を商業上実現可能とするためには、リサイクル材料を取り入れるのに必要なサイクル時間における増加に関連するコストの増加分が、容器の全ての材料に対するリサイクル材料の含有量の増加により補償されなければならない。付加的なリサイクル材料は類似の量の未使用の材料にとって代わり、しかもそれはより高くない。それゆえ、時間のかかる製品のコストの少なくとも一部を補償する。現在の技術では、リサイクル品の含有量は約１０％で限界であり、これは増加したサイクル時間のコストを埋め合わせるのに通常十分ではない値である。サイクル時間の増加の観点から、少なくとも”収支つじつまが合う”ためには、少なくとも２５重量％〜５０重量％のリサイクル材料を取り入れることが好ましい。リサイクル材料を取り入れることに関連するサイクル時間の増加は、最小限に抑えることも望ましい。従って、単層の未使用のＰＥＴ容器に代わる実効的なものを供給するためには、比較的短いサイクル時間で、リサイクル材料の高い含有量での製造方法および装置が必要である。
【手続補正３】
【補正対象書類名】明細書
【補正対象項目名】００１３
【補正方法】変更
【補正の内容】
【００１３】
好ましい一実施形態は、未使用のＰＥＴ層と前記未使用のＰＥＴ層に直接接着されリサイクルされたＰＥＴ層を含むラミネートである。さらに、前記ラミネートはガスバリア層を有する。前記リサイクルされた層は、前記ラミネートの約２５重量％〜約５０重量％を構成する。
【手続補正４】
【補正対象書類名】明細書
【補正対象項目名】００１４
【補正方法】変更
【補正の内容】
【００１４】
好適実施形態の他の観点において、ネジ山が付けられたネックフィニッシュおよびボディ部を含むプリフォームあるいは容器が提供される。前記ボディ部は、エンドキャップを含む。前記ネックフィニッシュおよびボディ部は、第１層を含む。前記ボディ部は、さらに第２層を含む。前記第１層は、未使用のポリエステルを含み、前記第２層はリサイクルされたポリエステルを含む。前記第２層は、前記プリフォームの約２５重量％から約５０重量％である。ガスバリア材料からなる第３層は、第１および第２層の一つに適用される。
【手続補正５】
【補正対象書類名】明細書
【補正対象項目名】００３９
【補正方法】変更
【補正の内容】
【００３９】
図４を参照すると、好適実施形態に従う特徴を有する多層プリフォーム５０の一例の断面図が示されている。図１および図２に示す未使用層のプリフォーム３０と同様に、多層プリフォーム５０はネック部３２およびボディ部３４を有する。リサイクル材料層５２は、ボディ部３４のほぼ全表面に配置され、支持環３８の下部で終結している。図に示された実施形態におけるリサイクル材料層５２はネック部３２までは広がっておらず、また、好ましくは未使用のＰＥＴのようなＦＤＡに認可された材料からなるプリフォームの内側の表面５４上にも存在しない。リサイクル層５２は１種類の材料でも、あるいは少なくとも２種類の材料からなるいくつかの薄層により構成されていてもよい。プリフォームの全体の厚さ５６は初期プリフォームの厚さとリサイクル層の厚さ５８の和に等しく、最終的な容器の全体の大きさと要求される被膜の厚さに依存する。好ましいプリフォームは、リサイクル材料を５０重量％まで含んでいてよい。さらに好ましくは、プリフォームは、２５〜５０重量％のリサイクル材料を含み、最も好ましくは５０重量％のリサイクル材料の含有量である。例の場合、プリフォームの底部の壁は３．２ｍｍの厚さを有し、ネックフィニッシュの壁は約３ｍｍの断面的寸法を有する。
【手続補正６】
【補正対象書類名】明細書
【補正対象項目名】００６５
【補正方法】変更
【補正の内容】
【００６５】
多層プリフォームは、好ましくは少なくともそれが型から取り外せる、あるいは、損傷を受けることなしに取り扱える点まで冷却され、そしてさらに冷却が行われる型から取り除かれる。もしＰＥＴが使用され、プリフォームがＰＥＴの結晶化温度近くの温度あるいはそれを越える温度まで加熱されたなら、プリフォームが完全に冷却したときにＰＥＴが主として準結晶状態にあることを確実にするために、冷却は適正に速くかつ十分に行われるべきである。この処理の結果、初期プリフォームとその後に形成されたリサイクル材料の間に強くて効果的な結合が生じる。
【手続補正７】
【補正対象書類名】明細書
【補正対象項目名】００８０
【補正方法】変更
【補正の内容】
【００８０】
その後、その上にプリフォームを有する全てのマンドレル９８が完全にプリフォーム成形キャビティ１１４とプリフォーム被覆キャビティ１２０から引き出されるまで、２つの半型を分離して型を開けるため、可動式半型１４２は後方へずらされる。エジェクタが、プリフォーム被覆キャビティから取り出されたばかりのマンドレル９８から、被覆されて仕上がったプリフォームを取り外す。上述したように、取り外しは、プリフォームをマンドレルから完全に分離せしめ、箱の中へ、あるいは搬送手段上に落とし、また、プリフォームが取り外しの後もマンドレル上に残るなら、ロボットアームあるいはその他の装置が１つあるいは１群のプリフォームをつかみ、箱の中、搬送手段上あるいは他の望まれる位置へ離してもよい。その後、ターンテーブル１３０は１８０°回転し、その上に未使用層のプリフォームを有するそれぞれのマンドレル９８がプリフォーム被覆キャビティ１２０の上に配置され、多層プリフォームが取り除かれたばかりのそれぞれのマンドレルがプリフォーム成形キャビティ１１４に配置される。ターンテーブル１３０の回転は、０．５〜０．９秒程度に速く起きる。アライメント杭１１０を用いて、型は再び位置決めして閉じ、第１インジェクタがプリフォーム成形キャビティ１１４中に第１材料を射出し、一方で、第２インジェクタがプリフォーム被覆キャビティ１２０にリサイク材料を射出する。
【手続補正８】
【補正対象書類名】明細書
【補正対象項目名】００９２
【補正方法】変更
【補正の内容】
【００９２】
射出工程の開始の後、２つの半型は好ましくは３〜１０秒、より好ましくは４〜６秒、再び離される。プリフォーム被覆キャビティ１２０中でリサイクル材料で被覆されたばかりのプリフォームは、マンドレル９８から取り出される。プリフォーム成形キャビティ１１４中で成形されたばかりの未使用層のプリフォームは、マンドレル９８上に残される。その後、ターンテーブル１３０が１８０°回転されて、その上に未使用層のプリフォームを有するマンドレルが被覆キャビティ１２０上に配置され、多層プリフォームが取り除かれたばかりのマンドレル９８は、それぞれ成形キャビティ１１４上に配置される。